(57)【特許請求の範囲】
【請求項１】
ガン本体の前面側に塗料噴射ノズルと、それを取囲むように圧縮空気噴射部材を備えたスプレーガンに於いて、
ガン本体の前面側に取り付けられる筒状の塗料噴射部材であって、筒中空内に塗料噴射弁体の開閉を行う塗料噴射用弁棒を具備する塗料噴射部材と、
ガン本体の後面側に取付けられる筒状の圧縮空気導入部材であって、筒中空内に外部から圧縮空気を導入する洞孔部と、該圧縮空気噴射部材へ圧縮空気の流入停止を行わしめるエアー弁体と、該エアー弁体と前記塗料噴射用弁棒とを長さ調節可能に連結する棒部材と、前記棒部材に設けられたロッド調整ナットとを具備する圧縮空気導入部材と、
前記棒部材に取り付けられ、操作レバーの操作に連動して前記棒部材を圧縮空気導入部材側に揺動させるロッド調整ナットとを有し、
前記圧縮空気導入部材はさらに、前記塗料噴射部材に対して前進或いは後進するねじ機構と、前記ねじ機構による移動を制限するジャミナットとを有し、前記圧縮空気導入部材が前進或いは後進して筒長が可変することによりエアー弁体の弁座部間の間隙が調整されるものであり、
前記ロッド調整ナットが圧縮空気導入部材側に揺動された際に、前記棒部材は前記エアー弁体および前記塗料噴射弁体を、塗料噴射部材及び圧縮空気導入部材に対して相対的に後退させることにより弁を開放し、ガン本体前面側で塗装液及び圧縮空気の噴射が行われるものとなしたことを特徴とするスプレーガン。
【請求項２】
前記圧縮空気導入部材の筒端部に取り付けられ、外部圧縮空気を前記洞孔部に接続するキャップと、該キャップ内に内蔵され、エアー弁体が当接する弁座部との関係位置をその弾撥作用下で離接状態に変えるスプリングとを有することを特徴とする請求項１記載のスプレーガン。
【請求項３】
前記圧縮空気導入部材は、前記キャップと同体に回転することを特徴とする請求項２記載のスプレーガン。
【請求項４】
塗料噴射部材と、それを取囲むための圧縮空気噴射部材を、ガン本体の前面側先端箇所で上下方向の揺動可能に取付けたものとなしてあることを特徴とする請求項１、２又は３記載のスプレーガン。
【請求項５】
レバー操作による塗料噴射に先立ち、圧縮空気導入部材に於けるエアー取入れキャップを適宜回動させ、エアー弁体の弁座部を少し開放状態となし、ガン本体の前面側に於ける圧縮空気導入部材から適当量の圧縮空気が噴出されるものとなすことを特徴とする請求項２、３又は４記載のスプレーガンの操作方法。
【発明の詳細な説明】
【技術分野】
【０００１】
本発明は、塗料液を霧状に噴射させるようになされたスプレーガン及びその操作方法に関する。
【背景技術】
【０００２】
操作部材の操作により本体フレームに設けられた塗料噴射部から塗料が霧状に噴射されるものとなされたスプレーガンは存在しており、またスプレーガンに付属的に装着されるもので圧縮空気を噴射するものとした環状空気噴射装置は本発明者の提案で存在している。
【０００３】
前記環状空気噴射装置を前記スプレーガンに装着して使用すると、前記環状空気噴射装置から噴射されて形成された覆い空気流が、前記スプレーガンの塗料噴射部から噴射されて形成された霧状塗料液流の周囲を包囲して、公害の要因をなす塗料液の無駄な飛散を効果的に抑制するものとなる。
【特許文献１】特許第２９１７０１９号公報
【特許文献２】特許第２９９０６０４号公報
【発明の開示】
【発明が解決しようとする課題】
【０００４】
上記スプレーガンの使用では、塗料の噴射と圧縮空気の弁操作を夫々れガン本体の別箇所に於ける個別操作で行われるものとなしてあり、従って迅速に対応する作業性に問題があるものとなっている。
本発明は上記問題点を１つのレバー箇所で行うことにより解決せんとするものである。
【課題を解決するための手段】
【０００５】
本発明は、ガン本体の前面側に塗料噴射部材と、それを取囲むように圧縮空気噴射部材を備えたスプレーガンに於いて、ガン本体の後面側に圧縮空気導入部材を取付け、該圧縮空気導入部材内に穿設され、且つ外部から圧縮空気を導入する洞孔内に対し、上記圧縮空気噴射部材に圧縮空気の流入停止を行わしめるエアー弁体を設け、該エアー弁体と前記塗料噴射用弁棒とをエアー弁調整ボルト及び又はロッド調整ナットを介して当接させ、且つ相互の当接関係位置を変更可能になさしめると共に、上記ロッド調整ナットの片端部を操作レバーの根元部と当接可能となし、該操作レバーの揺動操作を特定箇所に固定し、或いはその操作過程で塗装液及び又はエアーの弁座部を適宜開放してガン本体前面側で塗装液及び圧縮空気の噴射が行われるものとする。
【０００６】
而して、上記構成では圧縮空気導入部材内に設けてあるエアー弁体と当接する弁座部の当接関係位置を、圧縮空気導入部材側にエアー取入れキャップを取付け、且つ該キャップ内にスプリングを内蔵させたものとなし、上記エアー弁体が当接する弁座部との関係位置を該スプリングによる弾撥作用下で離接状態に変えられるものとなすのであり、また圧縮空気導入部材の筒体にジャミナットを取付け、上記弁部材の移動がジャミナットを介して停止され、これによりエアー弁体との弁座部間の間隙が規制されて圧縮空気の噴出量が変えられるものとなしたりする。
【０００７】
また、本発明では塗料噴射部材と、それを取囲むための圧縮空気噴射部材を、ガン本体の前面側先端箇所で上下方向の揺動可能に取付けたものとなしてある。
【発明の効果】
【０００８】
上記した本発明によれば、レバーを片手に持って少しずつ押え込んで行くレバー操作だけでノズル口からの塗料噴射と同時に、該噴射塗料の周縁を取囲む状態に圧縮空気の噴射を可能にすることができ、迅速且つ適確で効率の良い作業の遂行を図ることができる。
請求項２及び３記載の発明によれば、塗料液の噴射とは無関係に即ち塗料液を噴射させることなく塗料噴射前の塗装面に対する圧縮空気による清掃作業を安全且つ簡便に行うことが可能となり、上記作業性能の向上と共に塗装膜面の品質向上に寄与するものとなる。
また、請求項４記載の発明によれば塗装面に対する噴射塗装液がスプレーガンの手持ち位置で、適宜変更可能なため高所や低所又は広範囲な塗装面、或いは窮屈な箇所の塗装面であっても、優れた作業性能を効果的に発揮させることができるものとなる。
【発明を実施するための最良の形態】
【０００９】
図１は本発明に係るスプレーガンの斜視図、図２は上記の部分断面図、図３は同要部の拡大断面図である。これらの図に於いて、１は凡その全体長が４０ｃｍ程度となされるガン本体であり、前面側に塗料噴射部材Ａを、そして中央付近にレバーによる操作手段Ｂを備えると共に、後面側に圧縮空気導入部材Ｃを備えた構成となされる。
【００１０】
塗料噴射部材Ａはガン本体１の先端に対し、中央に塗料液を噴射させるノズル口を備えたチップ体２と、該チップ体２により噴射される塗料液の外周を取巻くように圧縮空気を噴射させるノズル口を備えたリング体３とを一体化させたものを、首振り金物軸４を介して上下方向の適当角度に揺動可能に取付けた構成となされる。ここに噴射塗料の外周を取巻くように圧縮空気が噴射されるものとなる構成及び作用などについては、既に本発明者が先に開示した特許第２９１７０１９号及び同第２９９０６０４号に見られる通りのものである。なお、５及び６はリング体３に対し圧縮空気を送り込むためのホース並びにインサート継手である。
【００１１】
７はガン本体１内を挿通する弁棒であって、その先端は前述のチップ体２に於ける塗料噴出用弁棒の弁座部ｍを構成したものとなしてある。本実施例では上記弁座部ｍを螺子手段で適宜取替え可能の脱着自在な構成となしてある。
【００１２】
上記弁棒７の後端部には長さ調整用のロッド８及び該ロッド８のロッド調整ナット９が取付けされるものとなされるのであり、このさいロッド調整ナット９の後部にはその長さ寸法を適宜変更可能なさしめるためのロッドボルト１０が取付けてあり、また１１は上記ロッド８がガン本体１から突出する側へ設けたグランド押えであって、後述するガン本体１内に送り込まれる塗料液が該ロッド８の挿通箇所から漏出しないようにするべくその前方には窩室１２を設け、且つ該窩室１２内には丸ワッシャ１３、スプリング１４、Ｏリング１５、シールパッキン１６などを備えさせたものとなしてある。
【００１３】
１７はガン本体１の後端箇所で左右一対のブラケット１８に対し、揺動自在に取付けてなるレバーであり、１９はその支軸である。ここに該レバー１７は上記ロッド８が止着されたロッド調整ナット９の前頭部９ａを、その揺動操作時にその下脚部ｐで矢印（イ）方向へ押圧させるようになすのであり、このとき弁棒７はロッド８を介して同じく矢印（イ）方向へ移動させられて前記弁座部ｍを開放させるものとなす。２０はガン本体１内に穿設された塗料通路であり、２１は塗料ホースであって、スイベルユニット２２を介し、一定圧力下の塗料が上記塗料流路２０へ導入されるものとなる。
なお、２３はトリガーガードであって、丸ビス２４を使用してガン本体１後面側へ前記レバー１７の上方を保護するように設けてある。
【００１４】
圧縮空気導入部材Ｃは、後部筒体２５の前方に前部筒体２６を螺合させて細長い筒体を形成させると共に、該後部筒体２５の外周箇所に対し、前記した先端ノズル口より噴射される塗料外周を取巻くように圧縮空気を噴射させるためのリング体３に対し、適宜調整された量の圧縮空気を送るためのエアー調整筒２７を取付けた構成となされる。
【００１５】
而して、上記後部筒体２５の洞孔２８内にはエアー弁体２９を摺動移動可能になさしめるのであり、これに対し前部筒体２６の洞孔３０内には上記エアー弁体２９の前端に螺合状態に取付けたエアー弁調整ボルト３１を既述したロッド調整ナット９の後端へ螺合状態に取付けたロッドボルト９ａに当接させるものとなし、且つ前記ロッド調整ナット９をスプリングの弾撥力で常時矢印（ロ）方向へ押圧させ、弁棒７先端部の弁座部ｍが閉塞されるものとなすのであり、３２はこのための該洞孔３０の内周側へ張在させたスプリングである。
【００１６】
３３は上記後部筒体２５へ螺合止着させてなる圧縮空気取入れキャップであって、その内孔３３ａ内には後部筒体２５の洞孔２８内に於けるエアー弁体２９を矢印（ロ）方向へ常時押圧状態に弾撥させるためのスプリング３４が張在させてある。具体的には前記エアー弁体２９は糸巻きボビン形をなしており、その後部鍔付翼部２９ａが該キャップ３３の内孔３３ａ内へ部分的に突出する状態に設けてあり、このとき該鍔付翼部２９ａの傾斜面が後部筒体２５の洞孔２８と当接する部分に弁座部ｎが形成されるものとなされており、通常は上記スプリング３４の弾撥力で該弁座部ｎは閉塞状態になされているが、今若し塗料噴射に先立ち予め一定量の圧縮空気を先端のリング体３から噴出させるようにするには、該キャップ３３を時計方向に回動させるようになすのであり、これにより一体化された後部筒体２５及び前部筒体２６が共に回動し、スプリング３２に抗して矢印（イ）方向へ適当距離の移動を行って該弁座部ｎに一定間隙が形成されるのである。
【００１７】
ところで、エアー調整筒２７は筒内にエアー流路２７ａが穿設されてなり、該エアー流路２７ａは後部筒体２５内の洞孔２８を糸巻きボビン形をなして摺動するエアー弁体２９の中央凹部２９ｂ箇所へ穿設した透孔３５と対応され、該透孔３５とエアー流路２７ａの両者が連通する状態にＯリング３６を介して取付けたものとなされており、従って上記弁座部ｎが一定間隙に開放されることにより圧縮空気がエアー調整筒２７内に流入し、レバー１７の操作とは無関係ににリング体３から噴出されるものとなるのである。このさい、３７は上記エアー流路を２７ａを外部から遮断可能にするためのバルブであり、３８はその吐出口と前記リング体３間のホース５を接続するインサート継手である。また、３９は図示しないコンプレッサーとの接続ホース、４０はそのワンタッチカップリングである。
【００１８】
一方、本発明に於ける前部筒体２６の外周には雌ネジｔが刻設され、トリガーガード２３との間にジャミナット４１が回動可能に取付けてあり、該ジャミナット４１の任意的な停止位置で上記したキャップ３２の回動と共に一体回動する後部筒体２５及び前部筒体２６の移動が規制させるものとなるのであり、具体的には弁座部ｎが開放してその間隙から流入する圧縮空気を適宜必要な一定量に規制させることが可能となる。
【００１９】
他方、本発明ではレバー１７を（ハ）方向へ押え込むようにすることにより、レバー１７の下脚部ｐが調整ナット９の前頭部９ａと当接し、且つこれで該調整ナット９が矢印（イ）方向へ移動される。而して、弁棒７がロッド８を介して同様に（イ）方向に移動され、且つこれにより先端部の弁座部ｍ及びエアー弁体２９の弁座部ｎが開放されてチップ体２の前面に於ける塗料液噴射及びこれを取囲む状態にリング体３からの圧縮空気の噴射が行われるものとなるのであるが、上記に於ける塗装作業では通常塗料液の噴射と圧縮空気の噴射が同時に行われる。ところで、上記に於いて塗料液が噴射される少し前から既に圧縮空気が噴射されているようにすることが好ましいのであり、このことは戸外作業では噴射塗料が周辺の風などの影響を受けやすいので、上記の如くすることより戸外で全く当初から風などの影響を受けない保護状態で行うことができる上で優れたものとなる。
【００２０】
また、本発明では、キャップ３２の回動と共に一体回動する後部筒体２５及び前部筒体２６の移動により、エアー弁体２９と弁座部ｍの間隙が調整されることになり、これをジャミナット４１により規制することにより、レバー１７の揺動操作による弁座部ｍと弁座部ｎとの開閉位置関係が変更できるようになる。而して、このようにすることは塗装前の被塗装物体の埃りなどを払拭させる清掃用としての使用を可能になし、清掃と塗装の二段作業を迅速且つ効率良く実施できるものとなるのである。
【００２１】
なお、本発明に於ける上記弁部材ｍ、同ｎの開閉度を適宜微妙に変えられるようにするには、弁棒７側ではロッド調整ナット９に於けるロッドボルト１０の埋込み長さを調整することにより、これに対しエアー弁体２９側ではエアー弁調整ボルト３１の突出長さ寸法を適宜変えることにより、簡便且つ容易に行うことができる。但し、上記ロッド調整ナット９とエアー弁調整ボルト３１の両者を、必ずしも採用する必要はなく、即ち何れか片方のみを採用することも差支えなく、本発明の範囲内とする。
【図面の簡単な説明】
【００２２】
【図１】本発明に係るスプレーガンの斜視図である。
【図２】上記スプレーガンの部分断面図である。
【図３】同要部の拡大断面図である。
【符号の説明】
【００２３】
１      ガン本体
２      チップ体
３      リング体
７      弁棒
８      ロッド
９      ロッド調整ナット
１０    ロッドボルト
１４    スプリング
１７    レバー
２１    塗料ホース
２２    スイベルユニット
２３    トリガーガード
２５    後部筒体
２６    前部筒体
２７    エアー調整器
２９    エアー弁体
３２    スプリング
３３    空気取入れキャップ
３４    スプリング
４１    ジャミナット
【図１】
0004061547.tif 000002
【図２】
0004061547.tif 000003
【図３】
0004061547.tif 000004